(57)【要約】      （修正有）【課題】液体が基板に到達することを抑制可能なエレベータの操作盤を提供する。【解決手段】一つの実施形態に係るエレベータの操作盤１３は、操作パネルと、ボックス２３と、基板２２と、防滴部２４と、配線２５とを備える。操作パネルは、乗りかごの側板に取り付けられるよう構成される。ボックス２３は、上方に向く上面４４ａを有し、収容室４１が内部に設けられるとともに、収容室４１に連通される第１の孔５１が前記上面４４ａに設けられ、側板に接続されるよう構成され、操作パネルに覆われる。基板２２は、収容室４１に収容され、操作パネルを制御する。防滴部２４は、基板２２と第１の孔５１との間に設けられ、上方の液体を受けて液体が基板２２に向かうことを制限するよう構成される。配線２５は、基板２２に接続され、第１の孔５１を通ってボックス２３の外部へ延出する。【選択図】図３
2020083580.tif 000002
【特許請求の範囲】
【請求項１】
乗りかごの側板に取り付けられるよう構成された操作パネルと、
上方に向く上面を有し、収容室が内部に設けられるとともに、前記収容室に連通される第１の孔が前記上面に設けられ、前記側板に接続されるよう構成され、前記操作パネルに覆われる、ボックスと、
前記収容室に収容され、前記操作パネルを制御する、基板と、
前記基板と前記第１の孔との間に設けられ、上方の液体を受けて当該液体が前記基板に向かうことを制限するよう構成された、防滴部と、
前記基板に接続され、前記第１の孔を通って前記ボックスの外部へ延出する配線と、
を具備するエレベータの操作盤。
【請求項２】
前記防滴部は、前記基板と前記第１の孔との間に位置し、前記収容室の内面に接続された第１の端部と、前記内面から離間するとともに前記第１の端部よりも上方に位置する第２の端部と、の間で延びた仕切板を有する、請求項１のエレベータの操作盤。
【請求項３】
前記ボックスに、前記収容室と前記ボックスの外部とを連通するとともに前記防滴部が受けた前記液体を前記ボックスの外部へ流出させることが可能な第２の孔が設けられる、請求項１又は請求項２のエレベータの操作盤。
【請求項４】
前記ボックスは、第１のボックスと、前記第１のボックスに取り付けられるとともに前記上面を有する第２のボックスと、を有し、
前記収容室は、前記第１のボックスに設けられて前記基板を収容する第１の部屋と、前記第２のボックスに設けられて前記第１の部屋に連通された第２の部屋と、を含み、
前記第１の孔は、前記第２の部屋に連通され、
前記防滴部は、前記第２の部屋に設けられる、
請求項１乃至請求項３のいずれか一つのエレベータの操作盤。
【請求項５】
前記配線は、第１の部分と、第２の部分と、第３の部分と、を有し、
前記第１の部分は、前記第１の孔を通され、
前記第２の部分は、前記基板に接続され、当該第２の部分の上方の端部が前記第１の部分の下方の端部よりも上方に位置し、
前記第３の部分は、前記第１の部分の下方の端部と前記第２の部分の上方の端部との間で延びる、
請求項１乃至請求項４のいずれか一つのエレベータの操作盤。
【発明の詳細な説明】
【技術分野】
【０００１】
本発明の実施形態は、エレベータの操作盤に関する。
【背景技術】
【０００２】
エレベータの乗りかごに、エレベータを操作するための操作盤が設けられる。操作盤における基板の配線は、当該基板を収容するボックスの底面に設けられた孔を通って外部に延出され、乗りかごの上へ敷設される。
【先行技術文献】
【特許文献】
【０００３】
【特許文献１】特開２００８−４４７７３号公報
【発明の概要】
【発明が解決しようとする課題】
【０００４】
配線がボックスの底面の孔を通って乗りかごの上に敷設されるため、当該配線の敷設作業にかかる労力及び時間が増大してしまう。しかし、孔がボックスの上面に設けられる場合、当該孔を通ってボックスの内部に水が浸入する可能性がある。
【課題を解決するための手段】
【０００５】
一つの実施形態に係るエレベータの操作盤は、操作パネルと、ボックスと、基板と、防滴部と、配線とを備える。前記操作パネルは、乗りかごの側板に取り付けられるよう構成される。前記ボックスは、上方に向く上面を有し、収容室が内部に設けられるとともに、前記収容室に連通される第１の孔が前記上面に設けられ、前記側板に接続されるよう構成され、前記操作パネルに覆われる。前記基板は、前記収容室に収容され、前記操作パネルを制御する。前記防滴部は、前記基板と前記第１の孔との間に設けられ、上方の液体を受けて当該液体が前記基板に向かうことを制限するよう構成される。前記配線は、前記基板に接続され、前記第１の孔を通って前記ボックスの外部へ延出する。
【図面の簡単な説明】
【０００６】
【図１】図１は、第１の実施形態に係るエレベータの乗りかごの内装を概略的に示す例示的な正面図である。
【図２】図２は、第１の実施形態の側板及び操作盤を概略的に示す例示的な斜視図である。
【図３】図３は、第１の実施形態の操作盤の一部を概略的に示す例示的な正面図である。
【図４】図４は、第１の実施形態の変形例に係る操作盤の一部を概略的に示す例示的な正面図である。
【図５】図５は、第２の実施形態に係る操作盤の一部を概略的に示す例示的な正面図である。
【図６】図６は、第３の実施形態に係る操作盤の一部を概略的に示す例示的な正面図である。
【発明を実施するための形態】
【０００７】
（第１の実施形態）
以下に、第１の実施形態について、図１乃至図３を参照して説明する。なお、本明細書においては基本的に、鉛直上方を上方向、鉛直下方を下方向と定義する。また、本明細書において、実施形態に係る構成要素及び当該要素の説明について、複数の表現が記載されることがある。複数の表現がされた構成要素及び説明は、記載されていない他の表現がされても良い。さらに、複数の表現がされない構成要素及び説明も、記載されていない他の表現がされても良い。
【０００８】
また、各図面に示されるように、本明細書において、Ｘ軸、Ｙ軸及びＺ軸が定義される。Ｘ軸とＹ軸とＺ軸とは、互いに直交する。Ｘ軸及びＹ軸は、水平方向に配置される。Ｚ軸は、上下方向に配置される。
【０００９】
図１は、第１の実施形態に係るエレベータ１の乗りかご１０の内装を概略的に示す例示的な正面図である。図１に示すように、エレベータ１の乗りかご１０は、ドア１１と、側板１２と、操作盤１３とを有する。
【００１０】
側板１２は、乗りかご１０の内壁に設置され、床板と天井との間で略上下方向に延びる。本実施形態において、側板１２は、ドア１１の側方に設けられる前側板（リターンパネル）であり、Ｘ−Ｚ平面で広がる板状に形成される。前側壁は、三方枠の一部と称されることもあり得る。なお、側板１２は、他の側板であっても良い。
【００１１】
本実施形態の操作盤１３は、既設の操作盤をリニューアルすることにより、乗りかご１０に設けられる。例えば、操作盤１３は、既設の操作盤と置き換えられている。なお、操作盤１３は、この例に限られず、当初から乗りかご１０に設けられても良い。
【００１２】
図２は、第１の実施形態の側板１２及び操作盤１３を概略的に示す例示的な斜視図である。図３は、第１の実施形態の操作盤１３の一部を概略的に示す例示的な正面図である。操作盤１３は、図１に示す操作パネル２１と、図３に示す基板２２、ボックス２３、防滴部２４、配線２５と、複数の固定部２６、及びグロメット２７とを有する。
【００１３】
図１に示すように、操作パネル２１は、側板１２に取り付けられる。操作パネル２１は、表示部３１と、複数のボタン３２とを有する。表示部３１は、例えば液晶ディスプレイであり、乗りかご１０の着床階のような種々の情報を表示する。ボタン３２は、乗りかご１０の着床階の設定やドア１１の開閉のような、種々の操作を入力するために用いられる。なお、操作パネル２１は、マイク及びスピーカのような他の部品を有しても良い。
【００１４】
図３に示す基板２２は、例えば、種々の電子部品を搭載されたプリント配線板である。基板２２は、操作パネル２１に電気的に接続され、操作パネル２１を制御する。基板２２は、例えば配線２５を介して操作パネル２１に接続されるが、他の手段により操作パネル２１に接続されても良い。さらに、基板２２は、例えば、配線２５を介してエレベータ１の制御装置に接続され、当該制御装置との通信を行う。
【００１５】
図２に示すように、ボックス２３は、乗りかご１０の内壁側に埋設されるように、側板１２に接続される。ボックス２３は、例えば、既設の操作盤のボックスと置き換えられ、ボルト等により既設の側板１２に締結される。
【００１６】
ボックス２３に、収容室４１が設けられる。収容室４１は、ボックス２３の内部に設けられ、Ｙ軸の負方向（Ｙ軸の矢印の反対方向）に開放された空間である。このように、本実施形態のボックス２３は、Ｙ軸の負方向に開放された箱状に形成される。収容室４１に、図３に示される基板２２が収容される。
【００１７】
収容室４１は、側板１２から乗りかご１０の内壁側に窪む凹部を形成し、乗りかご１０の内部に開放されることが可能である。操作パネル２１は、側板１２に取り付けられることで、ボックス２３を覆い、収容室４１を塞ぐ。
【００１８】
ボックス２３は、例えば金属によって作られ、背壁４３と、上壁４４と、下壁４５と、二つの側壁４６，４７とを有する。背壁４３、上壁４４、下壁４５、及び側壁４６，４７は、収容室４１の内面４１ａを形成する。内面４１ａは、収容室４１を形成（規定）し、収容室４１の内側に向くボックス２３の表面である。
【００１９】
背壁４３、上壁４４、下壁４５、及び側壁４６，４７は、ボックス２３の外面２３ａをさらに形成する。外面２３ａは、収容室４１の内面４１ａの反対側に位置し、ボックス２３の外部に面する。
【００２０】
背壁４３は、Ｘ−Ｚ平面で広がる略四角形の板状に形成される。背壁４３は、収容室４１の底を形成し、操作パネル２１からＹ軸の正方向（Ｙ軸の矢印が示す方向、内壁側）に離間する。
【００２１】
上壁４４は、背壁４３の上方の端部から、Ｙ軸の負方向に突出する。下壁４５は、背壁４３の下方の端部から、Ｙ軸の負方向に突出する。上壁４４及び下壁４５はそれぞれ、Ｘ−Ｙ平面で広がる略四角形の板状に形成される。
【００２２】
側壁４６は、背壁４３のＸ軸の負方向（Ｘ軸の矢印の反対方向）の端部から、Ｙ軸の負方向に突出する。側壁４７は、背壁４３のＸ軸の正方向（Ｘ軸の矢印が示す方向）の端部から、Ｙ軸の負方向に突出する。側壁４６，４７の上方の端部は、上壁４４に接続される。側壁４６，４７の下方の端部は、下壁４５に接続される。
【００２３】
図３に示すように、上壁４４は、上面４４ａと、上内面４４ｂとを有する。上面４４ａは、ボックス２３の外面２３ａの一部を形成し、上方に向く略平坦な面である。上内面４４ｂは、上面４４ａの反対側に位置し、下方に向く略平坦な面である。上内面４４ｂは、収容室４１の内面４１ａの一部を形成する。
【００２４】
上壁４４に、上孔５１が設けられる。上孔５１は、第１の孔の一例である。上孔５１は、上壁４４を貫通し、上面４４ａと、内面４１ａの一部を形成する上内面４４ｂと、に開く。このため、上孔５１は、収容室４１に連通される。別の表現によれば、上孔５１は、ボックス２３の内部である収容室４１と、ボックス２３の外部とを連通する。
【００２５】
図２に示すように、下壁４５に、下孔５２が設けられる。さらに、図３に示すように、側壁４６に、排出孔５３が設けられる。排出孔５３は、第２の孔の一例である。下孔５２及び排出孔５３は、ボックス２３の内部である収容室４１とボックス２３の外部とを連通する。
【００２６】
防滴部２４は、収容室４１の基板２２と上孔５１との間に設けられる。本実施形態において、防滴部２４は、仕切板５５を有する。仕切板５５は、例えば金属によって作られ、板状に形成される。
【００２７】
仕切板５５は、上孔５１と基板２２との間に位置し、上孔５１と基板２２との間を遮るように延びる。仕切板５５は、第１の端部５５ａと、第２の端部５５ｂと、図２に示す二つの側端部５５ｃ，５５ｄとを有する。
【００２８】
図３に示すように、第１の端部５５ａは、Ｘ軸の負方向における仕切板５５の端部である。第１の端部５５ａは、側壁４６が形成する収容室４１の内面４１ａに接続される。第１の端部５５ａは、例えば、側壁４６に溶接される。なお、第１の端部５５ａは、側壁４６に接触するだけであっても良い。
【００２９】
第２の端部５５ｂは、Ｘ軸の正方向における仕切板５５の端部である。第２の端部５５ｂは、側壁４６が形成する収容室４１の内面４１ａから、Ｘ軸の正方向に離間している。上下方向（Ｚ軸方向）において、第２の端部５５ｂは、第１の端部５５ａよりも上方に位置する。さらに、第２の端部５５ｂは、上壁４４、下壁４５、及び側壁４６，４７から離間している。
【００３０】
仕切板５５は、第１の端部５５ａと第２の端部５５ｂとの間で延びる。本実施形態では、仕切板５５は、第１の端部５５ａから第２の端部５５ｂに向かって、斜め上方に直線状に延びる。別の表現によれば、仕切板５５は、第１の端部５５ａが接続された収容室４１の内面４１ａから遠ざかるに従って上方に向かうよう延びる。なお、仕切板５５は、第１の端部５５ａと第２の端部５５ｂとの間で例えば曲線状に延びても良い。
【００３１】
図２に示すように、側端部５５ｃは、Ｙ軸の正方向における仕切板５５の端部である。側端部５５ｃは、背壁４３が形成する収容室４１の内面４１ａに接続される。側端部５５ｃは、例えば、背壁４３に溶接される。なお、側端部５５ｃは、背壁４３に接触するだけであっても良い。
【００３２】
側端部５５ｄは、Ｙ軸の負方向における仕切板５５の端部である。側端部５５ｄは、例えば、操作パネル２１に接続される。側端部５５ｄは、例えば、操作パネル２１の背面に液密に接触する。
【００３３】
図３に示すように、Ｘ軸方向において、第１の端部５５ａは上孔５１からＸ軸の負方向に離間し、第２の端部５５ｂは上孔５１からＸ軸の正方向に離間する。さらに、Ｙ軸方向において、側端部５５ｃは上孔５１からＹ軸の正方向に離間し、側端部５５ｄは上孔５１からＹ軸の負方向に離間する。このため、仕切板５５は、上孔５１の下方に位置する。
【００３４】
防滴部２４により、収容室４１の基板２２と上孔５１との間に、液受け５６が設けられる。液受け５６は、背壁４３、側壁４６、仕切板５５、及び収容室４１を塞ぐ操作パネル２１によって形成（規定）され、上方に開放される空間である。液受け５６は、上孔５１に向かって開放されている。液受け５６は、液面が第２の端部５５ｂに到達するまで液体を貯めることが可能である。
【００３５】
排出孔５３は、第１の端部５５ａの上方に位置する。さらに、排出孔５３は、上下方向において、第２の端部５５ｂよりも下方に位置する。このため、排出孔５３は、液受け５６とボックス２３の外部とを連通する。
【００３６】
配線２５は、例えば、束ねられた複数の配線を有し、基板２２に電力を供給し、基板２２とエレベータ１の制御装置との間で信号を送受信する。なお、配線２５は、この例に限られない。
【００３７】
配線２５は、基板２２に接続され、上孔５１を通ってボックス２３の外部へ延出する。配線２５は、ボックス２３の外部において、例えば、乗りかご１０の上のダクトへと敷設される。このため、配線２５はボックス２３の下方を迂回することなく容易に敷設され、配線２５の敷設の作業性が向上している。なお、操作盤１３は、基板２２に接続されて下孔５２を通ってボックス２３の外部へ延出する他の配線を有しても良い。
【００３８】
配線２５は、第１の部分６１と、第２の部分６２と、第３の部分６３とを有する。第１の部分６１、第２の部分６２、及び第３の部分６３は、配線２５が延びる方向において仮想的に区分された配線２５の一部であり、互いに接続される。
【００３９】
第１の部分６１は、上孔５１を通されるとともに略上下方向に延びる配線２５の一部である。第１の部分６１は、Ｘ軸方向において、仕切板５５の第１の端部５５ａと第２の端部５５ｂとの間に位置する。第１の部分６１は、仕切板５５の上方に位置する。
【００４０】
第２の部分６２は、基板２２に接続されるとともに略上下方向に延びる配線２５の一部である。第２の部分６２は、Ｘ軸方向において、第１の部分６１から離間するとともに、仕切板５５の第２の端部５５ｂと側壁４７との間に位置する。
【００４１】
上下方向において、第２の部分６２の上方の端部６２ａは、第１の部分６１の下方の端部６１ａよりも上方に位置する。第１の部分６１の下方の端部６１ａは、上下方向において仕切板５５の第２の端部５５ｂよりも下方に位置し、液受け５６の内部に位置する。なお、第１の部分６１の下方の端部６１ａは、液受け５６の外に位置しても良い。
【００４２】
第３の部分６３は、第１の部分６１の下方の端部６１ａと、第２の部分６２の上方の端部６２ａとの間で延びる。別の表現によれば、第３の部分６３は、第１の部分６１の下方の端部６１ａから、第２の部分６２の上方の端部６２ａへと斜め上方に延びる。第３の部分６３は、例えば、仕切板５５に沿って延びる。
【００４３】
第３の部分６３が、第１の部分６１の下方の端部６１ａと、第２の部分６２の上方の端部６２ａに接続されることで、配線２５が略Ｚ字（Ｎ字）状に敷設される。別の表現によれば、配線２５は、第１の部分６１の下方の端部６１ａと、第２の部分６２の上方の端部６２ａと、で折り返されるよう敷設される。なお、配線２５の敷設はこの例に限られない。
【００４４】
固定部２６は、収容室４１に設けられ、上述のように敷設された配線２５を、少なくとも一カ所において固定する。固定部２６は、配線２５を固定することで、キンクによる配線２５の劣化を抑制する。固定部２６はそれぞれ、例えば、ブラケット７１と、結束バンド７２とを有する。
【００４５】
ブラケット７１は、例えば、背壁４３が形成する収容室４１の内面４１ａに固定される。一つの結束バンド７２は、配線２５の第１の部分６１を、一つのブラケット７１に固定する。他の一つの結束バンド７２は、配線２５の第２の部分６２を、他の一つのブラケット７１に固定する。なお、固定部２６は、この例に限らず、例えば接着剤により配線２５を収容室４１の内面４１ａに固定しても良い。
【００４６】
グロメット２７は、配線２５の第１の部分６１に取り付けられ、第１の部分６１と上孔５１の縁との間の隙間を塞ぐ。なお、第１の部分６１と上孔５１の縁との間の隙間は、例えば合成樹脂によって塞がれても良いし、第１の部分６１の直径と上孔５１の直径とを近づけて極小化されても良い。
【００４７】
図３の矢印に示すように、例えばエレベータ１の昇降路内の水Ｗが、上孔５１から収容室４１に浸入することがある。水Ｗは、液体の一例である。水Ｗは、例えば、配線２５の第１の部分６１を伝って下方に流れる。
【００４８】
配線２５の第３の部分６３が斜め上方に延びるため、水Ｗは、第１の部分６１の下方の端部６１ａから下方に落下する。仕切板５５は、上方の第１の部分６１から落下する水Ｗ、及び上方の上孔５１から直接落下する水Ｗを受ける。
【００４９】
仕切板５５は、基板２２と上孔５１との間に位置するため、水Ｗを受け止め、水Ｗが基板２２に到達することを防ぐ。このように、仕切板５５は、上方の水Ｗを受けて、当該水Ｗが基板２２に向かうことを制限する。
【００５０】
仕切板５５は、第２の端部５５ｂから第１の端部５５ａに向かって、斜め下方に延びる。このため、仕切板５５に受け止められた水Ｗは、仕切板５５を伝って第１の端部５５ａに向かって流れる。すなわち、水Ｗは、基板２２へと落下可能な第２の端部５５ｂと側壁４７との間の隙間から遠ざかるように流れる。
【００５１】
水Ｗは、第１の端部５５ａの上方に位置する排出孔５３を通って、ボックス２３の外部に排出される。このように、排出孔５３は、防滴部２４が受けた水Ｗをボックス２３の外部へ流出させる。なお、防滴部２４が受けた水Ｗは、蒸発して、例えば上孔５１や下孔５２からボックス２３の外部に排出されても良い。
【００５２】
ボックス２３から、排出孔５３が省略されても良い。この場合、仕切板５５に受け止められた水Ｗは、液受け５６に貯められる。グロメット２７により、収容室４１に浸入する水Ｗの量は低減される。このため、水面が第２の端部５５ｂに達するほどの量の水Ｗが液受け５６に貯まることが抑制され、水Ｗは蒸発により上孔５１や下孔５２からボックス２３の外部に排出される。
【００５３】
以上説明された第１の実施形態に係る操作盤１３において、ボックス２３に、収容室４１に連通される上孔５１が上面４４ａに設けられる。防滴部２４は、基板２２と上孔５１との間に設けられ、上方の水Ｗを受けて水Ｗが基板２２に向かうことを制限するよう構成される。配線２５は、基板２２に接続され、上孔５１を通ってボックス２３の外部へ延出する。これにより、配線２５を上方へ敷設することが可能となり、配線２５の敷設の作業性が向上する。さらに、上方の上孔５１から収容室４１に浸入する水Ｗを防滴部２４が受けるため、当該水Ｗが基板２２に到達することが抑制され、基板２２が水Ｗから守られる。
【００５４】
防滴部２４は、基板２２と上孔５１との間に位置し、収容室４１の内面４１ａに接続された第１の端部５５ａと、内面４１ａから離間するとともに第１の端部５５ａよりも上方に位置する第２の端部５５ｂと、の間で延びた仕切板５５を有する。これにより、仕切板５５が受けた水Ｗが第１の端部５５ａに向かって流れる。仕切板５５が受けた水Ｗは、第２の端部５５ｂを越える量になるまでは防滴部２４に貯えられ、基板２２に向かうことが制限される。これにより、水Ｗが基板２２に到達することが抑制され、基板２２が水Ｗから守られる。
【００５５】
ボックス２３に、収容室４１とボックス２３の外部とを連通するとともに、防滴部２４が受けた水Ｗをボックス２３の外部へ流出させることが可能な排出孔５３が設けられる。これにより、収容室４１に水Ｗが溜まることが抑制され、当該水Ｗが基板２２に到達することが抑制される。
【００５６】
配線２５の第１の部分６１は、上孔５１を通される。第２の部分６２の上方の端部６２ａは、第１の部分６１の下方の端部６１ａよりも上方に位置する。第３の部分６３は、第１の部分６１の下方の端部６１ａと第２の部分６２の上方の端部６２ａとの間で延びる。すなわち、第３の部分６３は、第１の部分６１の下方の端部６１ａから上方に折り返された部分である。第３の部分６３に水Ｗが付着した場合、当該水Ｗは第３の部分６３を伝って第１の部分６１の下方の端部６１ａに向かって流れる。これにより、例えば、上孔５１から収容室４１に浸入した水Ｗが、配線２５の第３の部分６３に到達することが抑制され、さらに第３の部分６３を伝って基板２２に到達することが抑制される。
【００５７】
図４は、第１の実施形態の変形例に係る操作盤１３の一部を概略的に示す例示的な正面図である。第１の実施形態の変形例において、仕切板５５は、第１の端部５５ａと第２の端部５５ｂとの間で、略Ｌ字型に延びる。
【００５８】
仕切板５５は、第１の延部８１と、第２の延部８２とを有する。第１の延部８１は、仕切板５５の第１の端部５５ａから、Ｘ軸の正方向に延びる。第２の延部８２は、仕切板５５の第２の端部５５ｂから下方に延び、第１の延部８１のＸ軸の正方向における端部に接続される。
【００５９】
仕切板５５の第１の延部８１は、上方の第１の部分６１から落下する水Ｗ、及び上方の上孔５１から直接落下する水Ｗを受ける。第１の延部８１に受け止められた水Ｗは、液受け５６に貯められ、排出孔５３によりボックス２３の外部へ流出させられる。
【００６０】
仕切板５５が略Ｌ字状に形成されることで、液受け５６は、容積が大きくなり、より多くの水Ｗを貯めることができる。さらに、第２の延部８２が第１の延部から上方に延びるため、第１の延部８１が、水平方向に延び、又は第１の端部５５ａから遠ざかるに従って下方に向かうように延びても、水Ｗが基板２２に向かうことが制限される。
【００６１】
（第２の実施形態）
以下に、第２の実施形態について、図５を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００６２】
図５は、第２の実施形態に係る操作盤１３の一部を概略的に示す例示的な正面図である。図５に示すように、第２の実施形態のボックス２３は、第１のボックス１０１と、第２のボックス１０２とを有する。
【００６３】
第１のボックス１０１は、例えば、既設の操作盤のボックスである。第２のボックス１０２は、第１のボックス１０１に取り付けられる新設のボックスである。このように、第２の実施形態における操作盤１３のリニューアルは、既設の第１のボックス１０１に、新設の第２のボックス１０２を取り付けることによって行われる。なお、第１のボックス１０１及び第２のボックス１０２はこの例に限らず、例えば、共に新設のボックスであっても良い。
【００６４】
第２の実施形態において、収容室４１は、第１の部屋１０５と、第２の部屋１０６とを含む。第１の部屋１０５は、第１のボックス１０１の内部に設けられる。第２の部屋１０６は、第２のボックス１０２の内部に設けられて、第１の部屋１０５に連通される。
【００６５】
上述のように、第２の実施形態では、互いに取り付けられた第１のボックス１０１及び第２のボックス１０２が一つのボックス２３を形成し、互いに連通された第１の部屋１０５及び第２の部屋１０６が一つの収容室４１を形成する。なお、ボックス２３は、さらに他のボックスや他の部品を有しても良い。さらに、収容室４１は、さらに他の部屋、空間、孔、開口、及び窪みを有しても良い。
【００６６】
第１のボックス１０１は、下背壁１１１と、下隔壁１１２と、下側壁１１３，１１４と、ボックス２３の下壁４５とを有する。下壁４５、下背壁１１１、下隔壁１１２、及び下側壁１１３，１１４は、第１の部屋１０５の内面１０５ａを形成する。内面１０５ａは、第１の部屋１０５を形成（規定）し、第１の部屋１０５の内側に向く第１のボックス１０１の表面である。
【００６７】
下壁４５、下背壁１１１、下隔壁１１２、及び下側壁１１３，１１４は、第１のボックス１０１の外面１０１ａをさらに形成する。外面１０１ａは、第１の部屋１０５の内面１０５ａの反対側に位置し、第１のボックス１０１の外部に面する。
【００６８】
下背壁１１１は、Ｘ−Ｚ平面で広がる略四角形の板状に形成される。下背壁１１１は、第１の部屋１０５の底を形成し、操作パネル２１からＹ軸の正方向に離間する。
【００６９】
下壁４５は、下背壁１１１の下方の端部から、Ｙ軸の負方向に突出する。下隔壁１１２は、下背壁１１１の上方の端部から、Ｙ軸の負方向に突出する。下壁４５及び下隔壁１１２はそれぞれ、Ｘ−Ｙ平面で広がる略四角形の板状に形成される。
【００７０】
下側壁１１３は、下背壁１１１のＸ軸の負方向の端部から、Ｙ軸の負方向に突出する。下側壁１１４は、下背壁１１１のＸ軸の正方向の端部から、Ｙ軸の負方向に突出する。下側壁１１３，１１４の下方の端部は、下壁４５に接続される。下側壁１１３，１１４の上方の端部は、下隔壁１１２に接続される。
【００７１】
下隔壁１１２に、第１の連通孔１１６と、複数の第１の取付孔１１７とが設けられる。第１の取付孔１１７は、例えば、雌ネジが切られたネジ穴である。第１の連通孔１１６及び第１の取付孔１１７は、第１のボックス１０１の内部である第１の部屋１０５と第１のボックス１０１の外部とを連通する。
【００７２】
既設の第１のボックス１０１には、第１の連通孔１１６及び第１の取付孔１１７が設けられていない場合がある。この場合、例えばドリルやタップによる加工で、下隔壁１１２に第１の連通孔１１６及び第１の取付孔１１７が設けられる。
【００７３】
第２のボックス１０２は、上背壁１２１と、上隔壁１２２と、上側壁１２３，１２４と、ボックス２３の上壁４４とを有する。すなわち、第２のボックス１０２は、ボックス２３の上面４４ａを有する。上壁４４、上背壁１２１、上隔壁１２２、及び上側壁１２３，１２４は、第２の部屋１０６の内面１０６ａを形成する。内面１０６ａは、第２の部屋１０６を形成（規定）し、第２の部屋１０６の内側に向く第２のボックス１０２の表面である。
【００７４】
上壁４４、上背壁１２１、上隔壁１２２、及び上側壁１２３，１２４は、第２のボックス１０２の外面１０２ａをさらに形成する。外面１０２ａは、第２の部屋１０６の内面１０６ａの反対側に位置し、第２のボックス１０２の外部に面する。
【００７５】
上背壁１２１は、Ｘ−Ｚ平面で広がる略四角形の板状に形成される。上背壁１２１は、第２の部屋１０６の底を形成し、操作パネル２１からＹ軸の正方向に離間する。
【００７６】
上壁４４は、上背壁１２１の上方の端部から、Ｙ軸の負方向に突出する。上隔壁１２２は、上背壁１２１の下方の端部から、Ｙ軸の負方向に突出する。上壁４４及び上隔壁１２２はそれぞれ、Ｘ−Ｙ平面で広がる略四角形の板状に形成される。
【００７７】
上側壁１２３は、上背壁１２１のＸ軸の負方向の端部から、Ｙ軸の負方向に突出する。上側壁１２４は、上背壁１２１のＸ軸の正方向の端部から、Ｙ軸の負方向に突出する。上側壁１２３，１２４の上方の端部は、上壁４４に接続される。上側壁１２３，１２４の下方の端部は、上隔壁１２２に接続される。
【００７８】
第２の実施形態において、上壁４４の上面４４ａは、ボックス２３の外面２３ａの一部を形成するとともに、第２のボックス１０２の外面１０２ａの一部を形成する。上壁４４の上内面４４ｂは、収容室４１の内面４１ａの一部を形成するとともに、第２の部屋１０６の内面１０６ａの一部を形成する。
【００７９】
第２の実施形態において、上面４４ａに設けられた上孔５１は、収容室４１の第２の部屋１０６に連通される。別の表現によれば、上孔５１は、第２のボックス１０２の内部である第２の部屋１０６と、第２のボックス１０２の外部とを連通する。
【００８０】
上隔壁１２２に、第２の連通孔１２６と、複数の第２の取付孔１２７とが設けられる。第２の取付孔１２７は、例えば、雌ネジが切られたネジ穴である。さらに、上側壁１２３に、排出孔５３が設けられる。第２の連通孔１２６、第２の取付孔１２７、及び排出孔５３は、第２のボックス１０２の内部である第２の部屋１０６と第２のボックス１０２の外部とを連通する。
【００８１】
第２のボックス１０２は、第１のボックス１０１の下隔壁１１２の上に載置される。第１のボックス１０１の下隔壁１１２と、第２のボックス１０２の上隔壁１２２とが、互いに当接する。これにより、第１の部屋１０５と第２の部屋１０６とが、互いに当接する下隔壁１１２及び上隔壁１２２とにより仕切られる。
【００８２】
第１の連通孔１１６と第２の連通孔１２６とが、互いに連通する。これにより、第１の部屋１０５と第２の部屋１０６とは、第１の連通孔１１６及び第２の連通孔１２６を介して互いに連通される。
【００８３】
第１の取付孔１１７と第２の取付孔１２７とが、互いに連通する。例えば、ボルト１２９が互いに連通した第１の取付孔１１７及び第２の取付孔１２７の雌ネジに嵌合することで、第２のボックス１０２が第１のボックス１０１に取り付けられる。
【００８４】
第１の取付孔１１７及び第２の取付孔１２７は、雌ネジが切られていない孔であっても良い。この場合、ボルト１２９は、ナットや、下隔壁１１２又は上隔壁１２２に固定されたウェルドナットに嵌合することで、第２のボックス１０２を第１のボックス１０１に取り付ける。また、第２のボックス１０２は、接着又は溶接のような他の手段によって、第１のボックス１０１に取り付けられても良い。
【００８５】
基板２２は、既設の第１のボックス１０１の第１の部屋１０５に収容される。一方、防滴部２４及び固定部２６は、新設の第２のボックス１０２の第２の部屋１０６に設けられる。
【００８６】
防滴部２４の仕切板５５は、上孔５１と第１の連通孔１１６との間に位置し、上孔５１と第１の連通孔１１６との間を遮るように延びる。このため、仕切板５５は、上孔５１と基板２２との間に位置する。仕切板５５は、第１の実施形態のように直線状に延びても良いし、第１の実施形態の変形例のようにＬ字状に延びても良い。
【００８７】
仕切板５５の第１の端部５５ａは、上側壁１２３が形成する第２の部屋１０６の内面１０６ａに接続される。第２の端部５５ｂは、上側壁１２３が形成する第２の部屋１０６の内面１０６ａから、Ｘ軸の正方向に離間している。さらに、第２の端部５５ｂは、上壁４４、上隔壁１２２、及び上側壁１２３，１２４から離間している。
【００８８】
仕切板５５の側端部５５ｃは、上背壁１２１が形成する第２の部屋１０６の内面１０６ａに接続される。側端部５５ｄは、例えば、第１の部屋１０５及び第２の部屋１０６を塞ぐ操作パネル２１に接続される。
【００８９】
防滴部２４により、収容室４１の基板２２と上孔５１との間に、液受け５６が設けられる。液受け５６は、上背壁１２１、上側壁１２３、仕切板５５、及び第２の部屋１０６を塞ぐ操作パネル２１によって形成（規定）され、上方に開放される空間である。
【００９０】
第２の実施形態において、配線２５は、第１の部屋１０５に収容された基板２２から延び、第２の部屋１０６を経由して、ボックス２３の外部へ延出する。具体的には、配線２５は、第１の連通孔１１６及び第２の連通孔１２６を通って、第１の部屋１０５から第２の部屋１０６に導入される。配線２５は、第２の部屋１０６において、第１の実施形態と同じく略Ｚ字状に敷設され、上孔５１を通ってボックス２３の外部へ延出する。
【００９１】
仕切板５５は、第２の部屋１０６において、上方の第１の部分６１から落下する水Ｗ、及び上方の上孔５１から直接落下する水Ｗを受ける。これにより、第１の実施形態と同じく、仕切板５５は、上方の水Ｗを受けて、当該水Ｗが基板２２に向かうことを制限する。
【００９２】
第２の実施形態では、防滴部２４は、上隔壁１２２をさらに含む。上隔壁１２２は、基板２２と上孔５１との間に設けられる。例えば、仕切板５５から跳ねた水Ｗの水滴が仕切板５５を越えたとしても、上隔壁１２２が当該水Ｗを受け止めることができる。これにより、上隔壁１２２は、上方の水Ｗを受けて、当該水Ｗが基板２２に向かうことを制限する。
【００９３】
以上説明された第２の実施形態の操作盤１３において、ボックス２３は、第１のボックス１０１と、第１のボックス１０１に取り付けられるとともに上面４４ａを有する第２のボックス１０２と、を有する。収容室４１は、第１のボックス１０１に設けられて基板２２を収容する第１の部屋１０５と、第２のボックス１０２に設けられて第１の部屋１０５に連通された第２の部屋１０６と、を含む。上孔５１が第２の部屋１０６に連通され、防滴部２４が第２の部屋１０６に設けられる。これにより、例えば、既に基板２２が収容された第１のボックス１０１に、防滴部２４が設けられた第２のボックス１０２を取り付けることで、エレベータ１の操作盤１３に容易に防滴部２４を設けることができる。
【００９４】
（第３の実施形態）
以下に、第３の実施形態について、図６を参照して説明する。図６は、第３の実施形態に係る操作盤１３の一部を概略的に示す例示的な正面図である。図６に示すように、第３の実施形態は、防滴部２４が、仕切板５５の代わりに、上隔壁１２２及び仕切壁１３１を有する点で、第２の実施形態と異なる。
【００９５】
仕切壁１３１は、上壁４４と上隔壁１２２との間で、略上下方向に延びる。仕切壁１３１は、第２の部屋１０６を、第１の区画１３５と第２の区画１３６とにさらに仕切る。別の表現によれば、第２の部屋１０６は、第１の区画１３５と、第２の区画１３６とを含み、仕切壁１３１が第１の区画１３５と第２の区画１３６との間に設けられる。
【００９６】
上面４４ａに設けられた上孔５１は、第１の区画１３５に連通される。第２の連通孔１２６及び第２の取付孔１２７は、第２の区画１３６と、第２の部屋１０６の外部とを連通する。他の第２の取付孔１２７が、第１の区画１３５に連通されても良い。
【００９７】
仕切壁１３１に、第３の連通孔１３８が設けられる。第３の連通孔１３８は、仕切壁１３１を貫通し、第１の区画１３５と第２の区画１３６とを連通する。第３の連通孔１３８は、上隔壁１２２から上方に離間した位置に設けられる。
【００９８】
配線２５の第１の部分６１は、上孔５１を通され、第１の区画１３５で略上下方向に延びる。第１の部分６１の下方の端部６１ａは、例えば、結束バンド７２によって、上隔壁１２２に固定されたブラケット７１に固定される。
【００９９】
配線２５の第２の部分６２は、第２の連通孔１２６を通され、第２の区画１３６で略上下方向に延びる。第３の部分６３は、第１の部分６１の下方の端部６１ａから、第２の部分６２の上方の端部６２ａへと、第３の連通孔１３８を通過して斜め上方に延びる。
【０１００】
第３の実施形態において、上隔壁１２２は、上方の第１の部分６１から流れ落ちる水Ｗ、及び上方の上孔５１から直接落下する水Ｗを受ける。上隔壁１２２は、基板２２と上孔５１との間に位置するため、水Ｗを受け止め、水Ｗが基板２２に到達することを防ぐ。このように、上隔壁１２２は、上方の水Ｗを受けて、当該水Ｗが基板２２に向かうことを制限する。
【０１０１】
仕切壁１３１は、上隔壁１２２から上方向に延びる。このため、仕切壁１３１は、上隔壁１２２に受け止められた水Ｗを第１の区画１３５に留め、水Ｗが第２の区画１３６に浸入することを制限する。
【０１０２】
第３の実施形態において、排出孔５３は、上隔壁１２２の上方に位置する。さらに、排出孔５３は、上下方向において、第３の連通孔１３８よりも下方に位置する。このため、水Ｗは、排出孔５３を通って、ボックス２３の外部に排出される。
【０１０３】
以上説明された第３の実施形態の操作盤１３において、防滴部２４は、第２のボックス１０２の上隔壁１２２及び仕切壁１３１を有する。このように、防滴部２４は、第１及び第２の実施形態の仕切板５５に限られない。防滴部２４は、基板２２と上孔５１との間に設けられ、上方の水Ｗを受けて水Ｗが基板２２に向かうことを制限するよう構成されれば、種々の構造を有することができる。
【０１０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
１…エレベータ、１２…側板、１３…操作盤、２１…操作パネル、２２…基板、２３…ボックス、２４…防滴部、２５…配線、４１…収容室、４１ａ…内面、４４ａ…上面、５１…上孔（第１の孔）、５３…排出孔（第２の孔）、５５…仕切板、５５ａ…第１の端部、５５ｂ…第２の端部、６１…第１の部分、６１ａ…下方の端部、６２…第２の部分、６２ａ…上方の端部、６３…第３の部分、１０１…第１のボックス、１０２…第２のボックス、１０５…第１の部屋、１０６…第２の部屋、Ｗ…水（液体）。
【図１】
2020083580.tif 000003
【図２】
2020083580.tif 000004
【図３】
2020083580.tif 000005
【図４】
2020083580.tif 000006
【図５】
2020083580.tif 000007
【図６】
2020083580.tif 000008
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
乗りかごの側板に取り付けられるよう構成された操作パネルと、
上方に向く上面を有し、収容室が内部に設けられるとともに、前記収容室に連通される第１の孔が前記上面に設けられ、前記側板に接続されるよう構成され、前記操作パネルに覆われる、ボックスと、
前記収容室に収容され、前記操作パネルを制御する、基板と、
前記基板と前記第１の孔との間に設けられ、上方の液体を受けて当該液体が前記基板に向かうことを制限するよう構成された、防滴部と、
前記基板に接続され、前記第１の孔を通って前記ボックスの外部へ延出する配線と、
を具備し、
前記防滴部は、前記基板と前記第１の孔との間に位置し、前記収容室の内面に接続された第１の端部と、前記内面から離間するとともに前記第１の端部よりも上方に位置する第２の端部と、の間で延びた仕切板を有する、
エレベータの操作盤。
【請求項２】
乗りかごの側板に取り付けられるよう構成された操作パネルと、
上方に向く上面を有し、収容室が内部に設けられるとともに、前記収容室に連通される第１の孔が前記上面に設けられ、前記側板に接続されるよう構成され、前記操作パネルに覆われる、ボックスと、
前記収容室に収容され、前記操作パネルを制御する、基板と、
前記基板と前記第１の孔との間に設けられ、上方の液体を受けて当該液体が前記基板に向かうことを制限するよう構成された、防滴部と、
前記基板に接続され、前記第１の孔を通って前記ボックスの外部へ延出する配線と、
を具備し、
前記ボックスは、第１のボックスと、前記第１のボックスに取り付けられるとともに前記上面を有する第２のボックスと、を有し、
前記収容室は、前記第１のボックスに設けられて前記基板を収容する第１の部屋と、前記第２のボックスに設けられて前記第１の部屋に連通された第２の部屋と、を含み、
前記第１の孔は、前記第２の部屋に連通され、
前記防滴部は、前記第２の部屋に設けられる、
エレベータの操作盤。
【請求項３】
乗りかごの側板に取り付けられるよう構成された操作パネルと、
上方に向く上面を有し、収容室が内部に設けられるとともに、前記収容室に連通される第１の孔が前記上面に設けられ、前記側板に接続されるよう構成され、前記操作パネルに覆われる、ボックスと、
前記収容室に収容され、前記操作パネルを制御する、基板と、
前記基板と前記第１の孔との間に設けられ、上方の液体を受けて当該液体が前記基板に向かうことを制限するよう構成された、防滴部と、
前記基板に接続され、前記第１の孔を通って前記ボックスの外部へ延出する配線と、
を具備し、
前記配線は、第１の部分と、第２の部分と、第３の部分と、を有し、
前記第１の部分は、前記第１の孔を通され、
前記第２の部分は、前記基板に接続され、当該第２の部分の上方の端部が前記第１の部分の下方の端部よりも上方に位置し、
前記第３の部分は、前記第１の部分の下方の端部と前記第２の部分の上方の端部との間で延びる、
エレベータの操作盤。
【請求項４】
前記ボックスに、前記収容室と前記ボックスの外部とを連通するとともに前記防滴部が受けた前記液体を前記ボックスの外部へ流出させることが可能な第２の孔が設けられる、請求項１乃至請求項３のいずれか一つのエレベータの操作盤。
【手続補正２】
【補正対象書類名】明細書
【補正対象項目名】０００５
【補正方法】変更
【補正の内容】
【０００５】
一つの実施形態に係るエレベータの操作盤は、操作パネルと、ボックスと、基板と、防滴部と、配線とを備える。前記操作パネルは、乗りかごの側板に取り付けられるよう構成される。前記ボックスは、上方に向く上面を有し、収容室が内部に設けられるとともに、前記収容室に連通される第１の孔が前記上面に設けられ、前記側板に接続されるよう構成され、前記操作パネルに覆われる。前記基板は、前記収容室に収容され、前記操作パネルを制御する。前記防滴部は、前記基板と前記第１の孔との間に設けられ、上方の液体を受けて当該液体が前記基板に向かうことを制限するよう構成される。前記配線は、前記基板に接続され、前記第１の孔を通って前記ボックスの外部へ延出する。前記防滴部は、前記基板と前記第１の孔との間に位置し、前記収容室の内面に接続された第１の端部と、前記内面から離間するとともに前記第１の端部よりも上方に位置する第２の端部と、の間で延びた仕切板を有する。
【手続補正３】
【補正対象書類名】明細書
【補正対象項目名】０１０４
【補正方法】変更
【補正の内容】
【０１０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、出願当初の特許請求の範囲の内容を付記する。
［１］
乗りかごの側板に取り付けられるよう構成された操作パネルと、
上方に向く上面を有し、収容室が内部に設けられるとともに、前記収容室に連通される第１の孔が前記上面に設けられ、前記側板に接続されるよう構成され、前記操作パネルに覆われる、ボックスと、
前記収容室に収容され、前記操作パネルを制御する、基板と、
前記基板と前記第１の孔との間に設けられ、上方の液体を受けて当該液体が前記基板に向かうことを制限するよう構成された、防滴部と、
前記基板に接続され、前記第１の孔を通って前記ボックスの外部へ延出する配線と、
を具備するエレベータの操作盤。
［２］
前記防滴部は、前記基板と前記第１の孔との間に位置し、前記収容室の内面に接続された第１の端部と、前記内面から離間するとともに前記第１の端部よりも上方に位置する第２の端部と、の間で延びた仕切板を有する、［１］のエレベータの操作盤。
［３］
前記ボックスに、前記収容室と前記ボックスの外部とを連通するとともに前記防滴部が受けた前記液体を前記ボックスの外部へ流出させることが可能な第２の孔が設けられる、［１］又は［２］のエレベータの操作盤。
［４］
前記ボックスは、第１のボックスと、前記第１のボックスに取り付けられるとともに前記上面を有する第２のボックスと、を有し、
前記収容室は、前記第１のボックスに設けられて前記基板を収容する第１の部屋と、前記第２のボックスに設けられて前記第１の部屋に連通された第２の部屋と、を含み、
前記第１の孔は、前記第２の部屋に連通され、
前記防滴部は、前記第２の部屋に設けられる、
［１］乃至［３］のいずれか一つのエレベータの操作盤。
［５］
前記配線は、第１の部分と、第２の部分と、第３の部分と、を有し、
前記第１の部分は、前記第１の孔を通され、
前記第２の部分は、前記基板に接続され、当該第２の部分の上方の端部が前記第１の部分の下方の端部よりも上方に位置し、
前記第３の部分は、前記第１の部分の下方の端部と前記第２の部分の上方の端部との間で延びる、
［１］乃至［４］のいずれか一つのエレベータの操作盤。